(57)【特許請求の範囲】
【請求項１】
放送波あるいはネットワークを介して送られてくる番組表を取得する番組表取得部と、
前記番組表を画面に出力する番組表出力処理部と、
前記画面に表示された前記番組表の任意の番組が選択されシリーズ予約された場合、当
該番組に関するチャンネル、放送時間帯を含む番組情報をシリーズ予約の情報として録画
予約テーブルに登録する登録部と、
前記録画予約テーブルを画面に表示した場合、録画予約された番組がシリーズ予約され
ているか否かを示す識別情報を表示する録画予約テーブル表示処理部と、
前記録画予約テーブルの表示状態で任意の番組が選択され、前記シリーズ予約されてい
る番組の設定が変更される場合、同選択された番組を対象とするのかシリーズ予約の番組
の全体を対象とするのかの問い合わせコメントを表示するコメント出力部と、
を有したことを特徴とする記録再生装置のシリーズ番組録画予約装置。
【請求項２】
前記シリーズ予約されている番組の設定は、削除設定であり、前記コメントは、同選択
された番組を削除するのかシリーズ予約の番組の全体を削除するのかの問い合わせである
ことを特徴とする請求項１記載の記録再生装置のシリーズ番組録画予約装置。
【請求項３】
最新の前記番組表に、前記シリーズ予約のための新しい番組情報が存在するか否かを定
期的或いは不定期に検索し、前記新しい番組情報が存在した場合、この情報を前記録画予
約テーブルに登録する予約追加処理部をさらに有した請求項１記載の記録再生装置のシリ
ーズ番組録画予約装置。
【請求項４】
チューナ出力をエンコードするエンコーダ部と、前記エンコーダ部の出力を記録媒体に
記録し、また記録媒体からの再生出力を処理するデータプロセッサ部と、前記データプロ
セッサ部からの出力をデコードするデコード部と、前記デコード部からの出力を表示器に
出力する出力部と、動作を統括制御する制御部とを有した記録再生装置のシリーズ番組録
画予約方法において、
前記制御部は、
放送波あるいはネットワークを介して送られてくる番組表を取得し、
前記番組表を画面に出力し、
前記画面に表示された前記番組表の任意の番組が選択されシリーズ予約された場合、当
該番組に関するチャンネル、放送時間帯を含む番組情報をシリーズ予約の情報として録画
予約テーブルに登録し、
前記録画予約テーブルを画面に表示した場合、録画予約された番組がシリーズ予約され
ているか否かを示す識別情報を表示し、
前記録画予約テーブルの表示状態で任意の番組が選択され、前記シリーズ予約されてい
る番組の設定が変更される場合、同選択された番組を対象とするのかシリーズ予約の番組
の全体を対象とするのかの問い合わせコメントを表示することを特徴とする記録再生装置
のシリーズ番組録画予約方法。
【請求項５】
前記シリーズ予約されている番組の設定は、削除設定であり、前記コメントは、同選択
された番組を削除するのかシリーズ予約の番組の全体を削除するのかの問い合わせである
ことを特徴とする請求項４記載の記録再生装置のシリーズ番組録画予約方法。
【発明の詳細な説明】
【技術分野】
【０００１】
この発明は、記録再生装置のシリーズ番組録画予約装置及び方法に関するもので、特に、ユーザによるシリーズ番組の録画予約操作処理が簡単に行なえるとともに、またシリーズ番組の録画予約操作を分かりやすくした技術に係わるものである。
【背景技術】
【０００２】
近年、ハードディスクドライブ（ＨＤＤ）、ＤＶＤ（デジタルバーサタイルディスク）などの記録媒体に関して記録容量の向上が得られ、これらの記録媒体を用いた記録再生装置では、多くの番組を予約録画可能となっている。
【０００３】
一方では、放送方式として、地上アナログ放送、地上デジタル放送、衛星アナログ放送、衛星デジタル放送など、各種の放送方式が実現化されている。このような環境の中にあって、同一内容の番組が異なる放送方式で放映されることもある。さらには、同じ放送方式であっても異なる時間帯に、同一内容の番組が再放送されることも有り得る。
【０００４】
また番組によっては、例えば、毎週日曜日の午後８時から、放送されるシリーズ番組の形態がある。シリーズ番組としては、連続ドラマ、あるいは同じ連続娯楽番組、アニメーション番組などがある。ユーザは、シリーズ番組に興味をもつとき、そのシリーズ録画を希望することがある。
【０００５】
シリーズ番組を録画する装置として、例えば特許文献１に記載されたものがある。この文献１では、番組ガイド表を利用した、番組録画予約が実行されたときに、当該番組がシリーズ番組であるかどうかを判定している。そしてシリーズ番組であることが判定されたときは、シリーズ番組の録画予約（以下シリーズ予約と称する）を設定するかどうかを、画面を通じて問い合わせる。そして、シリーズ予約が設定されたときは、録画予約された番組とシリーズ関係にある番組の録画予約を設定する。
【特許文献１】特開２００３−８７６７５
【発明の開示】
【発明が解決しようとする課題】
【０００６】
上記した文献では、記録再生装置が、録画予約された番組がシリーズ番組かどうかを判断し、そして、記録再生措置がユーザにシリーズ番組のシリーズ予約を設定するかどうかを問い合わせる手法である。
【０００７】
しかしユーザによっては、録画予約を希望している番組が予めシリーズ番組であることを認識しており、シリーズ予約を直接行なうことを希望する場合がある。このような場合、従来の手法であると操作に手間取り不便である。
【０００８】
そこでこの発明の目的の一面では、シリーズ予約を実行するための案内をユーザに分かりやすくする記録再生装置のシリーズ番組録画予約装置及び方法を提供することを目的とする。
【０００９】
また他の一面では、シリーズ予約の操作が簡単に行なえる記録再生装置のシリーズ番組録画予約装置及び方法を提供することを目的とする。
【００１０】
又他の一面では、定期的あるいは不定期に同一シリーズ番組の検索を行い、シリーズ番組録画予約を行なうことができる記録再生装置のシリーズ番組録画予約装置及び方法を提供することを目的とする。
【００１１】
またさらに他の一面では、予約番組一覧表において、シリーズ予約を行なった番組の識別が容易に分かるようにした記録再生装置のシリーズ番組録画予約装置及び方法を提供することを目的とする。
【課題を解決するための手段】
【００１２】
この発明の一面では上記の目的を達成するために、放送波あるいはネットワークを介して送られてくる番組表を取得する番組表取得部と、前記番組表を画面に出力する番組表出力処理部と、前記画面に表示された前記番組表の任意の番組が選択されシリーズ予約された場合、当該番組に関するチャンネル、放送時間帯を含む番組情報をシリーズ予約の情報として録画予約テーブルに登録する登録部と、前記録画予約テーブルを画面に表示した場合、録画予約された番組がシリーズ予約されているかどうかを示す識別情報を表示する録画予約テーブル表示処理部と、を有したことを特徴とする。
【発明の効果】
【００１３】
上記した手段によると、記録再生装置が予約操作の後、当該番組がシリーズ番組であるかどうか判定し、ユーザに問い合わせ処理をすることなく、シリーズ番組が自動的にシリーズ予約されることになる。
【発明を実施するための最良の形態】
【００１４】
以下、図面を参照してこの発明の実施の形態を詳細に説明する。まずこの発明が適用された記録再生装置の概要を図１に示して説明する。
【００１５】
図１では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。
【００１６】
図１において、各ブロックを大きく分けると、左側には記録部の主なブロックを示し，右側には再生部の主なブロックを示している。
【００１７】
図１の記録再生装置は、ディスクドライブ部１００２と、ハードディスクドライブ部２００１の２種類のディスクドライブ部を有する。まず、ディスクドライブ部１００２は、ビデオファイルを構築できる情報記録媒体である第１のメディアとしての光ディスク１００１を回転駆動し、情報の読み書きを実行する。ディスクドライブ部１００２は、光ディスク１００１に対する回転制御系、レーザ駆動系、光学系などを有する。また、ハードディスクドライブ部２００１は、第２のメディアとしてのハードディスクを駆動する。
【００１８】
データプロセッサ部１００３は、ディスクドライブ部１００２及びハードディスクドライブ部２００１に記録データを供給することができ、また、再生された信号を受け取ることができる。ディスクドライブ部１００２は、光ディスク１００１に対する回転制御系、レーザ駆動系、光学系などを有する。
【００１９】
データプロセッサ部１００３は、記録または再生単位のデータを取り扱うもので、バッファ回路、変調・復調回路、エラー訂正部などを含む。
【００２０】
また図１の記録再生装置は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００２１】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００２２】
エンコーダ部５０からのエンコード出力は、バッファメモリを含むフォーマッタ５１にて所定のＤＶＤ-ＲＡＭのフォーマットに変換され、先のデータプロセッサ部１００３に供給される。
【００２３】
なおトランスポートストリームから抽出したパケットエレメンタリーストリームがエンコーダ部５０から直接ハードディスクドライブ部２００１のハードディスクに記録される場合もある。
【００２４】
エンコーダ部５０には、スイッチ５３を介して、ＡＶ入力部４１ａからの外部アナログビデオ信号と外部アナログオーディオ信号が入力することができる。またエンコーダ部５０には、地上波アナログチューナ４１ｃ、地上波デジタルチューナ４１ｃ、衛星ＢＳ／ＣＳチューナ４１ｅ，衛星アナログチューナ４１ｅからの受信信号が選択的に入力することができる。また、エンコーダ部５０で複数のデコーダが活用される場合、地上波デジタルチューナ４１ｃで受信した番組がハードディスクドライブ部２００１で録画され、同時に、衛星ＢＳ／ＣＳチューナ４１ｄで受信した番組を視聴することも可能である。
【００２５】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。
【００２６】
エンコーダ部５０に含まれるＭＰＥＧビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００２７】
副映像信号がＡＶ入力部４１から入力された場合（例えば副映像信号の独立出力端子付ＤＶＤビデオプレーヤからの信号など）、あるいはこのようなデータ構成のＤＶＤビデオ信号が放送されてそれがＴＶチューナ部４２で受信された場合は、ＤＶＤビデオ信号中の副映像信号が副映像エンコーダでエンコード（ランレングス符号化）されて副映像のビットマップとなる。
【００２８】
エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。フォーマッタ５１は、上記の変換処理のとき、バッファメモリ５２も利用している。
【００２９】
図１の装置は、フォーマッタ５１でフォーマット化された情報（ビデオ、オーディオ、副映像データなどのパック）及び作成された管理情報を、データプロセッサ部１００３を介してハードディスクドライブ部２００１あるいはデータディスクドライブ部１００２に供給し、ハードディスクあるいは光ディスク１００１に記録することができる。またハードディスクあるいは光ディスク１００１に記録された情報を、データプロセッサ部１００３、ディスクドライブ部１００２を介して光ディスク１００１あるいはハードディスクに記録することもできる。
【００３０】
またハードディスクあるいは光ディスク１００１に記録されている複数番組のビデオオブジェクトを、一部削除したり、異なる番組のオブジェクトをつなげたり、といった編集処理を行うこともできる。
【００３１】
マイクロコンピュータブロック３０は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。マイクロコンピュータブロック３０は、ネットワークインターフェース３０ａを介して、外部ネットワークに接続することが可能である。これにより、外部のサーバーから電子番組案内情報（ＤＥＰＧ：Dynamic Electronic Program Guide）を取り込むことも可能である。
【００３２】
さらにマイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００３３】
またマイクロコンピュータブロック３０は、装置の各ブロックを統括して制御するために必要な情報処理部を有するもので、ワークＲＡＭ３１、ディレクトリ検出部３２、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００３４】
またマイクロコンピュータブロック３０は、録画を実行する際の管理情報の制御部３４と、編集を実行する際の管理情報の制御部３３をも備える。
【００３５】
さらに、マイクロコンピュータブロック３０には、シリーズ番組予約・録画制御部３５、ＧＵＩ（グラフィックユーザインターフェース）画面制御部３６が設けられている。このシリーズ番組予約・録画制御部３５、ＧＵＩ（グラフィックユーザインターフェース）画面制御部３６の動作については、さらにあとで詳しく説明することにする。
【００３６】
ＭＰＵの実行結果のうち、ユーザに通知すべき内容は、映像データ記録再生装置の表示部４３に表示されるか、またはモニターディスプレイにＯＳＤ（オンスクリーンディスプレイ）表示される。
【００３７】
またマイクロコンピュータブロック３０は、この装置を操作するための操作信号を与えるキー入力部４４を有する。このキー入力部４４は、例えば記録再生装置の本体上に設けた操作スイッチ類や、あるいはリモートコントローラなどに相当する。また、記録再生装置と有線通信あるいは無線通信あるいは光通信や赤外線通信などの手段を用いて接続されたパーソナルコンピューターであってもよい。いずれの形態であるにせよ、ユーザがこのキー入力部４４を操作することにより、入力された映像音声信号の録画処理や、録画されたコンテンツの再生処理、あるいは録画されたコンテンツに対する編集処理などを施すことができる。
【００３８】
なお、マイクロコンピュータブロック３０が、ディスクドライブ部１００２、ハードディスクドライブ部２００１、データプロセッサ部１００３、エンコーダ部５０及び／またはデコーダ部６０などを制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００３９】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００４０】
デコーダ部６０の出力ビデオ信号は、ビデオミキシング部７１に入力される。ビデオミキシング部７１では、例えばテキストデータの合成が行われる。またビデオミキシング部７１には、ＴＶチューナやＡＶ入力部４１aからの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００４１】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナやＡＶ入力部４１aからのデジタル信号を直接モニタする時、エンコーダ部５０をスルーした信号を直接選択することも可能である。
【００４２】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００４３】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００４４】
また本装置では、ＤＶＤに記録するビデオファイルは１ディスクに１ファイルとしている。またデータをアクセス（シーク）している間に、途切れないで再生を続けるために、最低限連続する情報単位（サイズ）を決めている。この単位をCDA（コンティギュアス・データ・エリア）という。ＣＤＡサイズは、ＥＣＣ（エラー訂正コード）ブロック（１６セクタ）の倍数であり、ファイルシステムではこのCDA単位で記録を行っている。
【００４５】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部２００１に供給している。またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００４６】
図２には、リモートコントローラ２０の概観を示している。主な操作キーを説明する。２０ａは、電源をオンオフするための電源キーであり、２０ｂは、トップメニュー画面を表示させるためのトップメニューキーである。メニューキー２０ｃは、例えばＤＶＤなどの媒体に記録されているメニューを表示させときに操作する操作キーである。２０ＤＥは、決定キーであり、２０ＵＰ，２０ＤＷ，２０Ｒ，２０Ｌは、カーソルをそれぞれ上、下、右、左に移動させるためのカーソル操作キーである。
【００４７】
次に本装置におけるシリーズ予約に関する特徴的な構成及び動作について説明する。トップメニューキー２０ｂが操作されると、画面制御部３６の制御の元で、図３に示すような案内画面８０がモニタ３００１に表示される。
【００４８】
図３の画面８０には、項目として「番組表」、「録画予約一覧」、「Ｍｙジャンル番組リスト、」、「おすすめサービス」、「お気に入り番組リスト」、「シリーズ番組リスト」などが表示される。
【００４９】
図３の画面８０において、リモートコントローラ２０のカーソルキーを操作して、例えば、「番組表」を選択し、決定キー２０ＤＥを押すと、図４に示すような画面８０となる。図４の画面では、放送日、時間帯、番組が放送される放送方式及びチャンネル、各時間帯の番組名のリストが表示される。
【００５０】
図４の画面８０からさらに移行できる画面について説明する。図４の画面８０において、今、リモートコントローラ２０のカーソルキーを操作して、例えば、「世界の社食からスペシャル」と言う番組題名を選択し、決定キー２０ＤＥを押したとする。すると、図５に示すような録画予約画面８０に移行する。
【００５１】
図５の録画予約画面８０では、予約番組に関する番組名、放送時間などが表示される。ここで録画予約画面８０では、「シリーズ予約」を設定するかどうかの項目８０ａ、「予約キャンセル」の項目８０ｂ、が表示される。
【００５２】
ここでユーザが、リモートコントローラ２０のカーソルキーを操作して、例えば、「シリーズ予約」と言う項目８０ａを選択し、決定キー２０ＤＥを押したとする。すると、図６に示すような、録画予約の「命名」を行なうための画面８０に移行する。ここでは、未設定の領域と、すでに命名されている予約名称が表示される。この画面８０では、「お気に入りセット１」、「お気に入りセット２」、「お気に入りセット３」、シリーズ予約として「シリーズ予約３」、「シリーズ予約２」がある。
【００５３】
ここで、ユーザが、例えば、未設定部をカーソルにより選択して、決定キー２０ＤＥを押したとする。すると、図７に示すように、番組名の情報がそのまま転送されてくる。自動的に設定される部分上の１つの空欄である。例だと「世界の社食からスペシャル」が第１キーワードとして入る。第２キーワード（または）と第３キーワード（含まれない）は空欄のままである。ユーザは第２キーワードと第３キーワードを手動で追加することができる。
【００５４】
つまり、時間帯及びチャンネルなどの設定情報が表示される。また、キーワードとしては、番組名の中に“含まる”キーワード、“含まない”キーワードを設定することができる。一例としては、第２キーワード「日本の社食から」（または）、第３キーワード「番宣」（含まない）と設定すると、例えば、『日本の社食から「大分県」』が録れても『番宣 日本の社食から』は録らないことになる。
【００５５】
図３の画面８０に戻る。ここで、リモートコントローラ２０のカーソルキーを操作して、例えば、「録画予約一覧」を選択し、決定キー２０ＤＥを押すと、図８に示すような画面８０となる。図８の画面では、いままでに録画予約している番組の録画予約テーブルの情報が表示される。ここでは、「番組名」、「シリーズ予約」しているか否か、放送方式及びチャンネル、予約日時などが記載されている。
【００５６】
図３の画面８０に再度戻る。ここで、リモートコントローラ２０のカーソルキーを操作して、例えば、「シリーズ番組リスト」を選択し、決定キー２０ＤＥを押すと、図９に示すような画面８０となる。図９の画面では、シリーズ予約１、シリーズ予約２などのように、シリーズ予約が幾つあるのかを示す画面８０となる。この図９の画面８０では、シリーズ予約が３つ存在することが分かる。ここで、例えば「シリーズ予約１」の位置に、リモートコントローラ２０を操作してカーソルを合わせて、決定キー２０ＤＥを押すと、図１０に示すような画面８０となる。この画面では、シリーズ予約１の番組名、放送日時、曜日、記録媒体などがテーブル情報として表示される。ここでは、シリーズ１のキーワードに対応したものがテーブルとして表示される。この一覧はシリーズの条件設定で検索した結果であり、その“一部”が予約として登録される。また、予約登録された番組は、同一覧に［シリーズ］マークが付加される。
【００５７】
録画予約を行う場合には、放送波に重畳されてくるデジタルデータあるいはインターネットを介して送られてくるデータから抽出された電子番組情報が利用される。
【００５８】
ここで、番組内容は、「番組名」＋「番組説明／番組概要」、或いは、「予約名」＋「番組説明」、或いは「タイトル名」＋「番組説明」を含む。「番組名」＋「番組説明／番組概要」は、番組表から得ることができる。また「予約名」＋「番組説明」は、予約一覧の情報に含まれている。また、「タイトル名」＋「番組説明」は、録画結果の情報に含まれている。
【００５９】
「番組名」は、「予約名」、「タイトル名」に対応する。「番組名」の情報は、さらに「マーク」＋「シリーズ名」＋「和数」＋「題名」を含む。「マーク」は、本放送であるのか、再放送であるのかを示す。またシリーズ名は、大抵の場合は、常に同じ名称（例えば世界の社食からスペシャル）が用いられる。また「和数」は、第１話、第２話、第３話、…（或いは第１弾、第２弾、…）である。また「題名」としては、例えばヨーロッパ編、アジア編、アフリカ編、南アメリカ編などである。
【００６０】
図１１には、上記したシリーズ番組予約・録画制御部３５に含まれる動作例を示している。
【００６１】
太い線で囲む部分のステップＳ１，Ｓ３，Ｓ７は、画面制御部３６を介してモニタ３００１に表示される内容が処理されるステップである。また点線で囲むステップＳ５，Ｓ９は、ユーザは画面上で見ることはできないが、制御部３５の制御のもとで、メモリに記憶されている内容が参照されて処理されるステップである。また四角で囲むステップＳ４，Ｓ６，Ｓ８は、装置内部でデータ処理が行われるステップである。ステップＳ１は、図４の画面に対応する。ステップＳ３は、図１０の画面に対応する。又ステップＳ７は、図８の画面に対応する。
【００６２】
ステップ２は、シリーズ予約がされたときに、予約条件（キーワード等）に合致する番組を検索するステップである。ステップ４は、予約一覧のテーブルに記載されている番組情報に無く、また過去の予約録画成功した番組情報にも無い、番組情報を検索し、判定するステップである。つまり、ここでは、同一シリーズの番組であるが、第１話、第２話、第３話、…と続くような番組であり、最も新しくて、番組内容が異なる番組を判定することになる。
【００６３】
ここでは、ユーザにとって新規であるとして判定された番組が検索されたとき、その既に予約されている番組の内容と内容の重複がないかどうかを判断している。つまり、再放送の番組であるかどうかを判定できることになる。放送時間帯が異なっても、既に録画されているドラマの第２話が再放送されることもあるので、このような番組は予約されない。上記の処理結果のデータ（ステップＳ５）が一時的に保持される。
【００６４】
このように、本放送の番組が予約されているのに、再放送の番組をシリーズ予約しては、無駄になるので、内容的に重複が無いように予約情報を設定する。
【００６５】
ステップＳ５における結果データには、既に予約や録画済みのものと番組“内容”が重ならないものがある。つまり、予約や録画済みの再放送番組もＳ５のデータには含まれない。例えば、録画済みドラマ第１話、予約済みドラマ第２話の場合、Ｓ５のデータにはドラマ第３話、ドラマ第３話[再]、ドラマ第４話、ドラマ第４話[再]、…、が入ることになる。
【００６６】
次にステップＳ６にてＳ５の同内容番組の重複予約をしないように予約を入れる。例えば、ドラマ第３話、ドラマ第４話[再]を予約登録する。ドラマ第４話が[再]の方を登録するのは、ドラマ第４話（本放送）の放送時間帯に別のチャンネルの手動予約が既に入っていたためである。
【００６７】
ステップＳ８においては、予約録画が成功したかどうかが判定され、成功した場合には、ステップＳ９において、過去の予約録画成功番組の情報がメモリ或いはディスクに保存される。この情報は、できるだけ多いほうがよいが、無制限ではなく、ある程度の保存容量になった場合には、過去の情報から削除される。
【００６８】
この発明に係る装置では、シリーズ予約している番組情報の一部あるいは全部を削除することが可能である。
【００６９】
図１２には、シリーズ予約している番組情報を削除、つまり予約キャンセルを行なう場合の表示画面８０の例を示している。まず、図８、図１２で示した録画予約画面を表示した状態では、シリーズ予約されている番組情報の表示領域には、「シリーズ」という識別情報が表示される。したがって、ユーザは、シリーズ予約されている番組を容易に判別することができる。
【００７０】
ここでユーザは、リモートコントローラ２０のカーソルキーを操作して、同一シリーズの番組情報の１つを選択したとき、同予約のみに影響を及ぼすのか、あるいは同一シリーズ予約の全部に影響を及ぼすのかの“問い合わせのコメント”を得ることができる。
【００７１】
図１２の例では、シリーズ予約を削除する操作を行なったときの例を示している。ここでは、シリーズ予約であること、同予約のみを削除するのか、同一シリーズ予約の全てを削除するのかのコメントが表示されている。例えば図１２の画面において、カーソルにより番組情報の領域（行）を選択し、リモートコントローラのクリアキー或いは削除キーを操作することにより、“問い合わせのコメント”が得られる。
【００７２】
図１２の例は、削除に関するコメントであるが、設定変更に関しても“問い合わせコメント”が表示される。設定変更が行われる場合には、図８或いは図１２の画面において、カーソルにより所望の番組情報の領域（行）を選択し、リモートコントローラの決定キーを押すことにより、問い合わせコメントが表示される、ここで、“同予約のみの変更”なのか、“同シリーズ全体での変更”なのか、を選択し、図５の画面に戻ることができる。
【００７３】
ここで、ユーザは、キーワードの変更、録画優先度の変更、画質などの変更を行なうことができる。変更を行なった後、カーソルにより「設定完了」のボタンを選択し、決定キーを押す。
【００７４】
録画優先度の情報としては、「非優先」、「優先」、「ふつう」、「最優先」などを設定することができる。優先度の情報は、例えば、シリーズ予約の番組と同一時間帯に録画する別の番組が録画予約された場合、優先度の高いほうを優先して録画するために判定要素として利用される。
【００７５】
さらにまた次のような機能も得ることができる。図５に示すような設定変更画面において、ユーザの設定変更項目に対して制限を与えることができる。この場合は、設定変更可能な入力領域と、設定不可能な入力領域とは、例えば色により識別される。
【００７６】
例えば、キーワードの入力領域は、輝度が明るくなるが、番組の放送時間帯が示されている領域は、グレーとなり、自由な入力変更ができないことがわかるようになっている。また、放送チャンネルの領域も同様に、入力変更できないように、トーンダウンして表示される。
【００７７】
例えば、「同一シリーズの全て」を選択した場合は予約時間帯や放送チャンネル（ＣＨ）が示されている領域は、グレーとなり、自由な入力変更が出来ない。
【００７８】
図１３には、予約情報として構築される番組固有情報の例を示している。予約情報の項目としては、例えば予約名、放送開始日時、録画時間、予約ＩＤ、シリーズＩＤ，予約無効フラグ、画質、優先順位などがある。予約ＩＤは、予約が行なわれる毎に順番に自動的に割り当てられる番号である。ここで、シリーズ予約ＩＤも、シリーズ予約された番組に対して付されるＩＤであり、非シリーズ予約の番組には０が付される。
【００７９】
図１４には、シリーズ予約が行なわれるときの処理フローを示している。この動作は、シリーズ番組予約・録画制御部３５内における各制御ユニットの結合で実現される。ユーザは、シリーズ予約のために図３の項目「番組表」を選択し、リモコンの決定キーを押す（ステップＳＡ１）。すると、電子番組案内情報から作成された番組表（図４）が表示されるので、ユーザは、所望の番組の領域をカーソルで選択する。そして決定キーを押す（ステップＳＡ２）。すると、図５に示した画面８０（予約設定画面）が現れる（ステップＳＡ３）。
【００８０】
ここで、画面上の「登録」の位置にカーソルを合わせて、決定キーを押すと、選択した番組の番組情報が登録され、録画予約が行なわれる（ステップＳＡ６）。しかし、ここで、画面上の「シリーズ予約」の位置にカーソルを合わせて、決定キーを押すと、まず、表示上の番組情報（番組表上で選択した番組に対応する情報）がまず自動的に登録される（ステップＳＡ５、ＳＡ７）。これは、ユーザが自ら選択した番組は、重要であり、シリーズ番組であることが明白であるからである。
【００８１】
次に録画設定一覧の画面８０（図６）が表示され条件を設定するための１行を選択する。そしてシリーズの条件を設定する条件セット番号を選択した後、（ステップＳＡ８）、図７に示したような画面８０に移行する。ここでは、シリーズ予約を行なう番組情報をサーチする条件（キーワード、画質、優先度など）が入力される（ステップＳＡ９）。
【００８２】
次に「設定完了」の位置にカーソルがあわせられ、決定キーが押されると、シリーズ予約情報が登録される（ステップＳＡ１０、ＳＡ１１）。このシリーズ予約情報は、番組表の番組情報と比較され、条件に合致する番組（同シリーズの番組）が検索される。そして、優先順位に従って、予約登録が実行される（ステップＳＡ１２）。
【００８３】
図１５には、定期的あるいは不定期に番組表を検索し、シリーズ予約している番組情報を追加登録する場合の動作を示すフローチャートである。定期的とは、例えば１日に１回であり、不定期とは、例えば、図８に示したような番組録画予約テーブルに空きが生じた場合である。この装置は、例えば、３０の番組を録画予約することが可能である。そこで、予約取消しなどが有った場合、予約不要などで予約情報の削除が有った場合、予約録画が完了しその予約情報が消去された場合、余裕が生じる。このような場合にシリーズ予約のための番組情報を検索し、将来放送されるシリーズ番組の録画予約を行なうことができる。
【００８４】
番組表更新時間になると、番組表を取得する。番組表は、放送波、或いはネットワークを介して取り込むことができる（ステップＳＢ１、ＳＡＢ２、ＳＢ３）。番組表の中にシリーズ予約に該当する番組があるかどうかを検索する。番組表にシリーズ予約に該当する番組の番組情報が存在した場合、すでにその番組情報は登録されているかどうかを判断する（ステップＳＢ４、ＳＢ５）。未登録である場合には、当該番組情報が、信頼できるものであるかどうかを判定する。この判定結果データは、図１１で説明したＳ５に該当する。
【００８５】
図１５において、つまり、ユーザにとって新規な番組であるかどうかを判定する。新規な番組であることが判明したとき、既に予約されている番組の内容と内容の重複がないかどうかを判断する（ステップＳＢ６）。つまりステップＳＢ６はこれから登録しようとする新規の番組の放送時間帯が、既存他チャンネル（ＣＨ）予約の時間帯と重なっているかどうか、を見る。従ってステップＳＢ６での処理内容は、内容重複検査（ステップＳＢ５））ではなく、時間重複かどうかをみている。ここで、重複している場合には、優先度情報が参照され、優先度の高いほうの番組情報が予約登録される（ステップＳＢ７，ＳＢ８）。番組表の全番組ついて、番組表の中にシリーズ予約に該当する番組があるかどうかを検索する。全番組について検索が終了した場合には、処理が終了する（ステップＳＢ９）。
【００８６】
図１６には、図１２で説明したような“問い合わせコメント”が出力されるときの動作を説明するためのフローチャートである。録画予約一覧表が表示された状態で特定の番組の表示領域（行）が選択され、削除操作が行われると、この番組はシリーズ予約されたものであるかどうかの判定が行なわれる（ステップＳＣ１，ＳＣ２、ＳＣ３）。シリーズ予約でない番組であった場合には、同予約情報を削除する（ステップＳＣ５）。シリーズ予約の番組であった場合には、選択した番組だけの予約削除なのか、選択した番組のシリーズ全体の予約削除なのかを問い合わせる“問い合わせコメント”が表示される。ここで、選択した番組だけの予約削除が選択された場合には、同予約番組の予約無効フラグを無効に設定する（ステップＳＣ７）。選択した番組のシリーズ全体の予約削除が選択された場合には、この番組の番組情報に付随しているシリーズＩＤと同じシリーズＩＤを含む予約番組情報を全て削除する（ステップＳＣ８）。そして、予約一覧の画面８０（図１０）が表示される。
【００８７】
次に上記した装置が有する特徴的な技術をまとめて記載することにする。図１７は、マイクロコンピュータブロック３０内の制御部をさらに詳しく示している。このブロック３０内には、シリーズ番組予約・録画制御部３５、ＧＵＩ画面制御部３６、及び操作入力判別部２７が含まれる。シリーズ番組予約・録画制御部３５、ＧＵＩ画面制御部３６に含まれる代表的な制御ブロックをさらに説明すると以下のようになる。
【００８８】
即ち、リーズ番組予約・録画制御部３５は、番組表取得部３５ａ，自動登録部３５ｂ，予約追加処理部３５ｃを含む。またＧＵＩ画面制御部３６は、番組表出力処理部３６ａ，個別番組情報出力部、録画予約テーブル表示処理部、録画予約一覧出力部、コメント出力部、番組検索条件出力部３６ｆ、トップメニュー処理部３６ｇを含む。
【００８９】
ここで、各部は主として以下に述べるような機能を司る。番組表取得部３５ａは、放送波あるいはネットワークを介して送られてくる番組表を取得する。番組表出力処理部３６ａは、前記番組表を画面に表示する。個別番組情報出力部３６ｂは、番組表の任意の番組名が選択され決定されたとき、当該番組に関するチャンネル、放送時間帯を含む番組情報と、シリーズ予約を行なうための「シリーズ予約」選択項目、通常録画予約を行なうための「登録」選択項目を画面に表示する。自動登録部３５ｂは、前記「シリーズ予約」選択項目が選択されて決定されたとき、前記番組情報をシリーズ予約の情報として自動的に録画予約テーブルに登録する。
【００９０】
また、最新の前記番組表に、前記シリーズ予約のための新しい番組情報が存在するか否かを定期的或いは不定期に検索し、前記新しい番組情報が存在した場合、予約追加処理部３５ｃは、この情報を前記録画予約テーブルに登録することができる。さらに録画予約テーブル表示処理部３６ｃは、前記録画予約テーブルを画面に表示するとき、録画予約された番組がシリーズ予約されているかどうかを示す識別情報を表示することができる。
【００９１】
また録画予約一覧出力部３６ｄは、録画予約テーブルを画面に表示する。ここで、コメント出力部３６ｅは、録画予約テーブルの表示状態でシリーズ予約されている番組が選択されて削除設定されたとき、同選択された番組の予約のみをキャンセルするのかシリーズ予約の全体をキャンセルするのかの問い合わせコメントを表示する。
【００９２】
さらに番組検索条件情報表示部３６ｆは、先の録画予約テーブルで選択されたシリーズ番組を番組検索した条件を画面に表示することができる。そして、コメント出力部３６ｅは，前記条件を変更したしたときに、同選択された番組の予約のみをキャンセルするのかシリーズ予約の全体をキャンセルするのかの問い合わせコメントを表示する。また録画予約情報表示部３６ｈ（図５相当）は、前記条件の中でも変更可能な条件と変更を禁止する条件とを識別させて表示することができる。さらに又この発明は、上記した処理を行う方法としても特徴を有するものである。
【００９３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９４】
【図１】この発明が適用された記録再生装置の構成説明図である。
【図２】図１の装置を操作するリモートコントローラの一例を示す図である。
【図３】この発明に係る装置の処理により得られるトップメニューの表示画面の例を示す図である。
【図４】この発明に係る装置の処理により得られる番組表の表示画面の例を示す図である。
【図５】この発明に係る装置の処理により得られる番組情報の表示画面の例を示す図である。
【図６】この発明に係る装置の処理により得られる表示画面の例でありシリーズ予約名を設定する画面の例を示す図である。
【図７】この発明に係る装置の処理により得られる表示画面の例でありシリーズ予約の条件を設定する画面の例を示す図である。
【図８】この発明に係る装置の処理により得られる表示画面の例であり録画予約された番組リストを表示する画面の例を示す図である。
【図９】この発明に係る装置の処理により得られる表示画面の例でありシリーズ番組の予約情報の選択を行なう画面の例を示す図である。
【図１０】この発明に係る装置の処理により得られる表示画面の例でありシリーズ予約された番組のセットを表示する画面の例を示す図である。
【図１１】この発明に係る装置の基本的な動作機能を説明するために示した説明図である。
【図１２】この発明に係る装置の処理により得られる表示画面の例でありシリーズ予約された番組を削除する場合に得られるコメントの表示画面の例を示す図である。
【図１３】この発明に係る装置で設定されている番組固有情報の例を示す説明図である。
【図１４】この発明に係る装置の動作例を説明するために示したフローチャートである。
【図１５】この発明に係る装置の他の動作例を説明するために示したフローチャートである。
【図１６】この発明に係る装置のさらに他の動作例を説明するために示したフローチャートである。
【図１７】この発明に係る装置の制御部の基本的な要部ブロックを示す図である。
【符号の説明】
【００９５】
３０…マイクロコンピュータブロック、３５…シリーズ番組予約・録画制御部、３６…ＧＵＩが面制御部、４１ａ，４１ｂ，４１ｃ，４１ｄ，４１ｅ…チューナ，３００１…モニタ。
【図１】
0004776314.tif 000002
【図２】
0004776314.tif 000003
【図３】
0004776314.tif 000004
【図４】
0004776314.tif 000005
【図５】
0004776314.tif 000006
【図６】
0004776314.tif 000007
【図７】
0004776314.tif 000008
【図８】
0004776314.tif 000009
【図９】
0004776314.tif 000010
【図１０】
0004776314.tif 000011
【図１１】
0004776314.tif 000012
【図１２】
0004776314.tif 000013
【図１３】
0004776314.tif 000014
【図１４】
0004776314.tif 000015
【図１５】
0004776314.tif 000016
【図１６】
0004776314.tif 000017
【図１７】
0004776314.tif 000018